(57)【要約】【課題】建築現場における共用する資機材を予約できる。【解決手段】建築現場において複数の作業者が共用する資機材を管理するための情報処理システムが、前記資機材に設けられる発信手段から発信される信号に基づいて、前記建築現場における前記資機材が存在するエリアを特定するエリア特定手段と、前記資機材の稼働状況を特定する稼働状況特定手段と、前記資機材の予約状況を特定する予約状況特定手段と、前記エリア特定手段が特定する結果に基づいて当該エリアにおける前記資機材の存在を特定可能な特定情報を出力し、前記稼働状況特定手段が特定する結果に基づいて前記資機材の稼働状況を特定可能な稼働情報を出力し、及び、前記予約状況特定手段が特定する結果に基づいて前記資機材の予約状況を特定可能な予約情報を出力する出力手段とを含む。【選択図】図１６
2019175224.tif 000002
【特許請求の範囲】
【請求項１】
建築現場において複数の作業者が共用する資機材を管理するための情報処理システムであって、
前記資機材に設けられる発信手段から発信される信号に基づいて、前記建築現場における前記資機材が存在するエリアを特定するエリア特定手段と、
前記資機材の稼働状況を特定する稼働状況特定手段と、
前記資機材の予約状況を特定する予約状況特定手段と、
前記エリア特定手段が特定する結果に基づいて当該エリアにおける前記資機材の存在を特定可能な特定情報を出力し、前記稼働状況特定手段が特定する結果に基づいて前記資機材の稼働状況を特定可能な稼働情報を出力し、及び、前記予約状況特定手段が特定する結果に基づいて前記資機材の予約状況を特定可能な予約情報を出力する出力手段と
を含む情報処理システム。
【請求項２】
前記資機材に関するプロフィール情報と、前記資機材に設けられる発信手段とを対応させて登録する登録手段を更に含み、
前記出力手段は、
前記特定情報として、一のエリアに前記資機材が存在することを示すアイコンを表示可能であり、
該アイコンが指定されることにより、当該アイコンに対応する資機材に関するプロフィール情報を表示する
請求項１に記載の情報処理システム。
【請求項３】
前記建築現場にて建築する建築物の階層別に前記エリアが割り当てられており、
前記出力手段は、
前記階層別に前記稼働情報及び前記予約情報を表示する
請求項１又は２に記載の情報処理システム。
【請求項４】
前記出力手段は、
前記稼働情報としてアイコンを表示し、
前記予約状況特定手段は、
前記稼働情報として表示したアイコンに基づく特定操作がなされることにより、前記資機材が予約された状況であることを特定する
請求項１乃至３のいずれか１項に記載の情報処理システム。
【請求項５】
前記信号のうち、第１信号は、前記資機材を稼働させるのに用いられる鍵に設けられた第１発信手段から発信され、
前記信号のうち、第２信号は、前記鍵で稼働する前記資機材に設けられた第２発信手段から発信され、
前記稼働状況特定手段は、
前記第１信号及び前記第２信号が示すそれぞれの位置に基づいて前記資機材の稼働状況を特定する
請求項１乃至４のいずれか１項に記載の情報処理システム。
【請求項６】
前記出力手段は、
前記稼働情報と、前記予約情報とを比較するための比較結果情報を出力する比較結果出力手段を更に含む
請求項１乃至５のいずれか１項に記載の情報処理システム。
【請求項７】
前記登録手段は、
前記プロフィール情報として、前記資機材を稼働させている使用者を特定可能な使用者情報及び前記資機材を予約した予約者を特定可能な予約者情報のうち、少なくとも一方を登録可能であり、
前記出力手段は、
前記資機材に対応する使用者又は予約者ごとに出力する
請求項２に記載の情報処理システム。
【請求項８】
建築現場において複数の作業者が共用する資機材を管理するためのプログラムであって、
前記資機材に設けられる発信手段から発信される信号に基づいて、前記建築現場における前記資機材が存在するエリアを特定するエリア特定手順と、
前記資機材の稼働状況を特定する稼働状況特定手順と、
前記資機材の予約状況を特定する予約状況特定手順と、
前記エリア特定手順で特定する結果に基づいて当該エリアにおける前記資機材の存在を特定可能な特定情報を出力し、前記稼働状況特定手順で特定する結果に基づいて前記資機材の稼働状況を特定可能な稼働情報を出力し、及び、前記予約状況特定手順で特定する結果に基づいて前記資機材の予約状況を特定可能な予約情報を出力する出力手順と
を含むプログラム。
【発明の詳細な説明】
【技術分野】
【０００１】
本発明は、建築用資機材予約管理システム及びプログラムに関する。
【背景技術】
【０００２】
建築現場において、複数の作業者が共用する機器を管理する方法が知られている。
【０００３】
例えば、まず、高所作業車の稼働状態を把握するため、高所作業車に振動センサが設置される。そして、振動センサが測定する加速度と、閾値とを比較することで、スリープ状態を解除し、稼働状態を簡単かつ高精度に把握する方法が知られている。
【先行技術文献】
【特許文献】
【０００４】
【特許文献１】特開２０１７‐１７１４８０号公報
【発明の概要】
【発明が解決しようとする課題】
【０００５】
しかしながら、従来の方法では、共用する資機材を予約できない。その結果、資機材が使用されない場合があり、作業効率が非効率であったり、又は、複数の使用者が同じ資機材を同時に使用しようとして奪い合い等が発生したりする場合がある。
【０００６】
本発明は、上記課題に鑑みてなされたものであり、建築現場における共用する資機材を予約できることを目的とする。
【課題を解決するための手段】
【０００７】
本発明の各実施形態に係る情報処理システムは、以下のような構成を有する。
【０００８】
建築現場において複数の作業者が共用する資機材（例えば、高所作業車１２０である。）を管理するための情報処理システム（例えば、情報処理システム１０である。）は、
前記資機材に設けられる発信手段（例えば、発信器１２１である。）から発信される信号に基づいて、前記建築現場における前記資機材が存在するエリアを特定するエリア特定手段（例えば、ステップＳＡ０４である。）と、
前記資機材の稼働状況を特定する稼働状況特定手段（例えば、ステップＳＡ０４である。）と、
前記資機材の予約状況を特定する予約状況特定手段（例えば、ステップＳＡ０２である。）と、
前記エリア特定手段が特定する結果に基づいて当該エリアにおける前記資機材の存在を特定可能な特定情報を出力し（例えば、ステップＳＢ０４である。）、前記稼働状況特定手段が特定する結果に基づいて前記資機材の稼働状況を特定可能な稼働情報を出力し（例えば、ステップＳＢ０４である。）、及び、前記予約状況特定手段が特定する結果に基づいて前記資機材の予約状況を特定可能な予約情報を出力する出力手段（例えば、ステップＳＢ０４である。）と
を含む。
【０００９】
また、情報処理システムは、
前記資機材に関するプロフィール情報（例えば、プロフィール情報Ｄ２である。）と、前記資機材に設けられる発信手段とを対応させて登録する登録手段（例えば、第３画面ＰＬ３である。）を更に含み、
前記出力手段は、
前記特定情報として、一のエリアに前記資機材が存在することを示すアイコン（例えば、第１アイコンＩ１である。）を表示可能であり、
該アイコンが指定されることにより、当該アイコンに対応する資機材に関するプロフィール情報を表示する（例えば、バーＵＩ２である）。
【００１０】
また、前記建築現場にて建築する建築物の階層別に前記エリアが割り当てられており（例えば、階層表示ＩＮＦ５である。）、
前記出力手段は、
前記階層ごとに前記稼働情報及び前記予約情報を表示する（例えば、状況画面ＰＬＣである）。
【００１１】
また、前記出力手段は、
前記稼働情報としてアイコンを表示し（例えば、稼働アイコンＩＭである。）、
前記予約状況特定手段は、
前記稼働情報として表示したアイコンに基づく特定操作がなされることにより前記資機材が予約された状況であることを特定する（例えば、予約済アイコンＩ５である）。
【００１２】
また、前記信号のうち、第１信号は、前記資機材を稼働させるのに用いられる鍵に設けられた第１発信手段（例えば、第１発信器ＴＭ１である。）から発信され、
前記信号のうち、第２信号は、前記鍵で稼働する前記資機材に設けられた第２発信手段（例えば、第２発信器ＴＭ２である。）から発信され、
前記稼働状況特定手段は、
前記第１信号及び前記第２信号が示すそれぞれの位置に基づいて前記資機材の稼働状況（例えば、稼働アイコンＩＭである。）を特定する。
【００１３】
また、前記出力手段は、
前記稼働情報と、前記予約情報とを比較するための比較結果情報を出力する比較結果出力手段（例えば、強調表示ＣＰ１である。）を更に含む。
【００１４】
また、前記登録手段は、
前記プロフィール情報として、前記資機材を稼働させている使用者を特定可能な使用者情報及び前記資機材を予約した予約者を特定可能な予約者情報（例えば、予約者ＲＰである。）のうち、少なくとも一方を登録可能であり、
前記出力手段は、
前記資機材に対応する使用者又は予約者ごとに出力する（例えば、予約画面ＰＬＲである）。
【００１５】
建築現場において複数の作業者が共用する資機材を管理するためのプログラムは、
前記資機材に設けられる発信手段から発信される信号に基づいて、前記建築現場における前記資機材が存在するエリアを特定するエリア特定手順（例えば、ステップＳＡ０４である。）と、
前記資機材の稼働状況を特定する稼働状況特定手順（例えば、ステップＳＡ０４である。）と、
前記資機材の予約状況を特定する予約状況特定手順（例えば、ステップＳＡ０２である。）と、
前記エリア特定手順で特定する結果に基づいて当該エリアにおける前記資機材の存在を特定可能な特定情報を出力し、前記稼働状況特定手順で特定する結果に基づいて前記資機材の稼働状況を特定可能な稼働情報を出力し、前記予約状況特定手順で特定する結果に基づいて前記資機材の予約状況を特定可能な予約情報を出力する出力手順（例えば、ステップＳＢ０４である。）と
を実行させる。
【発明の効果】
【００１６】
本発明に係る各実施形態によれば、建築現場における共用する資機材を予約できる。
【図面の簡単な説明】
【００１７】
【図１】全体構成の一例を示す概念図である。
【図２】情報処理装置のハードウェア構成例を示すブロック図である。
【図３】全体処理例を示すフローチャートである。
【図４】機能構成例を示す機能ブロック図である。
【図５】図面データの例を示す図である。
【図６】プロフィール情報の例を示す図である。
【図７】エリアデータの例を示す図である。
【図８】図面データ、プロフィール情報及びエリアデータを用いた処理例を示す図である。
【図９】プロフィール情報を登録する画面例を示す図（その１）である。
【図１０】プロフィール情報を登録する画面例を示す図（その２）である。
【図１１】発信器の状態確認画面の例を示す図である。
【図１２】情報処理システムによる表示例を示す図である。
【図１３】プロフィール情報を登録した結果例を示す図である。
【図１４】資機材の稼働状況の特定例を示す図である。
【図１５】予約画面の例（その１）を示す図である。
【図１６】予約画面の例（その２）を示す図である。
【図１７】重複予約を表示する例（その１）を示す図である。
【図１８】重複予約を表示する例（その２）を示す図である。
【図１９】重複予約を表示する例（その３）を示す図である。
【図２０】予約がない資機材を知らせる例（その１）を示す図である。
【図２１】予約がない資機材を知らせる例（その２）を示す図である。
【図２２】特定情報、稼働情報及び予約情報等の出力例を示す図である。
【図２３】比較結果情報等の出力例を示す図である。
【図２４】特定情報、稼働情報及び予約情報等の出力の変形例（その１）を示す図である。
【図２５】特定情報、稼働情報及び予約情報等の出力の変形例（その２）を示す図である。
【発明を実施するための形態】
【００１８】
以下、各実施形態の詳細について添付の図面を参照しながら説明する。なお、各実施形態に係る明細書及び図面の記載において実質的に同一の機能構成を有する構成要素については、同一の符号を付することにより重複した説明を省く。
【００１９】
＜情報処理システムを含む全体構成例＞
はじめに、本実施形態に係る情報処理システム１０がどのように使用されるかを具体例で説明する。
【００２０】
図１は、全体構成の一例を示す概念図である。以下、図示するように、共用する資機材の例である高所作業車１２０が、複数の作業者の間で共用される建築現場を例に説明する。すなわち、以下の例では、情報処理システム１０は、建築現場における高所作業車１２０等の資機材を管理する。
【００２１】
例えば、情報処理システム１０は、サーバ１０１、第１情報処理端末１０２及び第２情報処理端末１０３等の情報処理装置を有する。また、サーバ１０１、第１情報処理端末１０２及び第２情報処理端末１０３は、有線又は無線で接続され、相互にデータを送受信することが可能である。したがって、情報処理システム１０では、サーバ１０１による処理結果が、第１情報処理端末１０２及び第２情報処理端末１０３等に出力され、各拠点又は現場事務所等で処理結果を見ることができる。また、第１情報処理端末１０２及び第２情報処理端末１０３等で操作を入力することで、サーバ１０１は、操作を受け付けることができる。
【００２２】
なお、情報処理システム１０は、図示するような構成に限られない。すなわち、情報処理システム１０が有する情報処理装置は、１台でもよいし、２台以上の複数であってもよい。以下、図示する構成を例に説明する。
【００２３】
まず、建築現場では、高所作業車１２０に、ビーコン（Ｂｅａｃｏｎ）信号を発信する、発信手段の例である発信器１２１が設置される。さらに、建築現場における柱等にも、発信器１２２が設置される。以下、高所作業車１２０に設置される発信器１２１を「移動ビーコン」という場合がある。移動ビーコンは、高所作業車１２０が移動すると、一緒に移動するので位置が変動する。以下、移動ビーコンの位置は、高所作業車１２０の位置と同じであるとする。
【００２４】
一方で、発信器１２２は、設置されると、原則としては位置が固定となる。以下、発信器１２２を「固定ビーコン」という場合がある。したがって、固定ビーコンの位置は、あらかじめ設置される位置で固定であるとする。
【００２５】
また、この例における建築現場では、作業者２００及び２０１は、スマートフォン、タブレット又はノートＰＣ（Ｐｅｒｓｏｎａｌ  Ｃｏｍｐｕｔｅｒ）等の携帯端末１０４を持つとする。以下、携帯端末１０４が各発信器からの信号を受信する受信器になるとする。そして、受信器は、各発信器からの信号が示す内容、すなわち、各発信器のそれぞれの位置が特定できるデータ（以下「測位データ」という。）を情報処理システム１０に送信する。なお、様々なデータが送信されるタイミングは、あらかじめ設定される周期ごとでもよいし、不定期でもよい。
【００２６】
＜ハードウェア構成例＞
図２は、情報処理装置のハードウェア構成例を示すブロック図である。例えば、サーバ１０１は、図示するようなハードウェア構成である。また、第１情報処理端末１０２、第２情報処理端末１０３及び携帯端末１０４は、例えば、同様のハードウェア構成である。以下、各情報処理装置は、同じハードウェア構成とする例とし、サーバ１０１を例に説明することで重複する説明を省略する。
【００２７】
例えば、サーバ１０１は、ＣＰＵ（Ｃｅｎｔｒａｌ  Ｐｒｏｃｅｓｓｉｎｇ  Ｕｎｉｔ）１０１Ｈ１と、記憶装置１０１Ｈ２と、ネットワークインターフェース１０１Ｈ３と、入力装置１０１Ｈ４と、出力装置１０１Ｈ５とを有するハードウェア構成である。
【００２８】
ＣＰＵ１０１Ｈ１は、演算装置及び制御装置の例である。
【００２９】
記憶装置１０１Ｈ２は、メモリ等の主記憶装置である。なお、記憶装置１０１Ｈ２は、ハードディスク又はＳＳＤ（Ｓｏｌｉｄ  Ｓｔａｔｅ  Ｄｒｉｖｅ）等の補助記憶装置を更に有してもよい。
【００３０】
ネットワークインターフェース１０１Ｈ３は、通信装置等である。例えば、ネットワークインターフェース１０１Ｈ３は、コネクタ又はアンテナ等である。そして、ネットワークインターフェース１０１Ｈ３は、ネットワークを介して、外部装置とデータを送受信する。
【００３１】
入力装置１０１Ｈ４は、人による操作を入力するインタフェースとなる装置である。例えば、入力装置１０１Ｈ４は、キーボード、マウス又はこれらの組み合わせである。
【００３２】
出力装置１０１Ｈ５は、人に処理結果等を出力するインタフェースとなる装置である。例えば、出力装置１０１Ｈ５は、ディスプレイ等である。
【００３３】
なお、入力装置１０１Ｈ４及び出力装置１０１Ｈ５は、一体となるタッチパネル等でもよい。また、入力装置１０１Ｈ４及び出力装置１０１Ｈ５は、コネクタ等であって、外部装置とデータを送受信するインタフェースでもよい。
【００３４】
なお、各情報処理装置のハードウェア構成は、異なる構成でもよい。また、各情報処理装置は、図示するハードウェア構成に限られない。例えば、情報処理装置は、演算装置又は記憶装置等のハードウェア資源を内部又は外部に更に有してもよい。
【００３５】
＜全体処理例＞
図３は、全体処理例を示すフローチャートである。以下、情報処理システム１０が行う処理をサーバ１０１が行う処理と、携帯端末１０４が行う処理とに分けて説明する。
【００３６】
図３（Ａ）は、サーバ１０１が行う処理の例を示す。また、図３（Ｂ）は、携帯端末１０４が行う処理の例を示す。
【００３７】
さらに、図示する処理が行われる前に、事前処理によって、サーバ１０１等に、図示する処理に用いるデータがあらかじめ入力される。
【００３８】
＜高所作業車の予約例＞（ステップＳＢ０１）
ステップＳＢ０１では、携帯端末１０４は、高所作業車１２０の予約を行う。
【００３９】
＜携帯端末からの受信例＞（ステップＳＡ０１）
ステップＳＡ０１では、サーバ１０１は、ステップＳＢ０１で入力された予約を示すデータを携帯端末１０４から受信する。
【００４０】
＜予約情報の更新例＞（ステップＳＡ０２）
ステップＳＡ０２では、サーバ１０１は、ステップＳＡ０２で受信したデータに基づいて予約情報を更新する。
【００４１】
＜測位データ等の受信例＞（ステップＳＢ０２）
ステップＳＢ０２では、携帯端末１０４は、受信器となり、発信器である移動ビーコン及び固定ビーコン等から、測位データを受信する。
【００４２】
＜受信した測位データ等の送信例＞（ステップＳＢ０３）
ステップＳＢ０３では、携帯端末１０４は、ステップＳＢ０２で受信した測位データをサーバ１０１に送信する。
【００４３】
＜携帯端末からの受信例＞（ステップＳＡ０３）
ステップＳＡ０３では、サーバ１０１は、ステップＳＢ０３で送信された測位データを受信する。
【００４４】
＜特定情報及び稼働情報の更新例＞（ステップＳＡ０４）
ステップＳＡ０４では、サーバ１０１は、ステップＳＡ０３で受信した測位データに基づいて高所作業車１２０の位置を特定可能な特定情報を更新する。また、サーバ１０１は、測位データに基づいて稼働情報を更新する。
【００４５】
まず、測位データがあると、サーバ１０１は、固定ビーコンと、移動ビーコンとの位置関係によって、それぞれの高所作業車１２０の位置を特定できる。すなわち、サーバ１０１は、高所作業車１２０が存在するエリアを特定できる。そして、サーバ１０１は、前回特定した高所作業車１２０の位置を更新し、今回の特定結果を示す特定情報にする。
【００４６】
また、測位データがあると、サーバ１０１は、鍵に設置されたビーコンと、移動ビーコンとの位置関係によって、それぞれの高所作業車の稼働状況を特定できる。そして、サーバ１０１は、前回特定した高所作業車１２０の稼働情報を更新し、今回の特定結果を示す稼働情報にする。
【００４７】
＜特定情報、予約情報及び稼働情報等の出力例＞（ステップＳＡ０５）
ステップＳＡ０５では、サーバ１０１は、ステップＳＡ０２及びステップＳＡ０４で更新した特定情報、予約情報及び稼働情報等を携帯端末１０４に出力する。
【００４８】
＜特定情報、予約情報及び稼働情報等の表示例＞（ステップＳＢ０４）
ステップＳＢ０４では、携帯端末１０４は、ステップＳＡ０５で出力された特定情報、予約情報及び稼働情報等を表示する。
【００４９】
また、情報処理システム１０は、図示するように、リクエストを入力し、リクエストに応じた出力をするのが望ましい。
【００５０】
＜リクエストの入力及び送信例＞（ステップＳＢ０５）
ステップＳＢ０５では、携帯端末１０４は、作業者２００からリクエストを入力する。まず、ステップＳＢ０４では、携帯端末１０４は、作業者２００に特定情報、予約情報及び稼働情報等を示す画面を表示する。そして、作業者２００は、表示される画面等で様々なリクエストを入力する。次に、携帯端末１０４は、入力されたリクエストをサーバ１０１に送信する。
【００５１】
＜リクエストの判定例＞（ステップＳＡ０６）
ステップＳＡ０６では、サーバ１０１は、ステップＳＢ０５で送信されたリクエストがどのような種類か等を判定する。
【００５２】
＜リクエストに応じた出力の例＞（ステップＳＡ０７）
ステップＳＡ０７では、サーバ１０１は、ステップＳＡ０６で判定したリクエストの種類等に応じて、リクエストに応じた形式等でデータを携帯端末１０４に出力する。
【００５３】
＜リクエストに応じた画面の表示例＞（ステップＳＢ０６）
ステップＳＢ０６では、携帯端末１０４は、画面をリクエストされた形式等で出力する。
【００５４】
＜繰り返すか否かの判断例＞（ステップＳＡ０８）
ステップＳＡ０８では、サーバ１０１は、全体処理を繰り返すか否かを判断する。例えば、あらかじめ設定される周期で繰り返す設定である場合には、前回の処理から設定された周期の時間となると、情報処理システム１０は、繰り返しを行う。
【００５５】
繰り返すと判断されると（ステップＳＡ０８でＹＥＳ）、サーバ１０１は、ステップＳＡ０１に進む。一方で、繰り返さないと判断されると（ステップＳＡ０８でＮＯ）、サーバ１０１は、全体処理を終了する。
【００５６】
＜機能構成例＞
図４は、機能構成例を示す機能ブロック図である。例えば、情報処理システム１０は、エリア特定手段１０Ｆ１と、出力手段１０Ｆ２と、稼働状況特定手段１０Ｆ４と、予約状況特定手段１０Ｆ５とを含む機能構成である。なお、情報処理システム１０は、図示するように、登録手段１０Ｆ３と、記憶手段１０Ｆ６と、図面データ入力手段１０Ｆ７を更に含む機能構成であるのが望ましい。
【００５７】
さらに、出力手段１０Ｆ２は、図示するように、比較結果出力手段１０Ｆ２１を更に含む機能構成であるのが望ましい。以下、図示するような機能構成を例に説明する。
【００５８】
エリア特定手段１０Ｆ１は、資機材に設けられる発信手段から発信される信号に基づいて、建築現場における資機材が存在するエリアを特定するエリア特定手順を行う。例えば、エリア特定手段１０Ｆ１は、ネットワークインターフェース１０１Ｈ３等によって実現される。
【００５９】
出力手段１０Ｆ２は、エリア特定手段１０Ｆ１が特定する結果に基づいて、当該エリアにおける資機材の存在を特定可能な特定情報を出力する出力手順を行う。さらに、出力手段１０Ｆ２は、稼働状況特定手段１０Ｆ４が特定する結果に基づいて、資機材の稼働状況を特定可能な稼働情報を出力する出力手順を行う。さらにまた、出力手段１０Ｆ２は、予約状況特定手段１０Ｆ５が特定する結果に基づいて資機材の予約状況を特定可能な予約情報を出力する出力手順を行う。例えば、出力手段１０Ｆ２は、出力装置１０１Ｈ５又はネットワークインターフェース１０１Ｈ３等によって実現される。
【００６０】
また、比較結果出力手段１０Ｆ２１は、稼働情報と、予約情報とを比較するための比較結果情報を出力する比較結果出力手順を行う。
【００６１】
登録手段１０Ｆ３は、資機材に関するプロフィール情報と、発信手段とを対応させて登録する登録手順を行う。例えば、登録手段１０Ｆ３は、入力装置１０１Ｈ４又はネットワークインターフェース１０１Ｈ３等によって実現される。
【００６２】
稼働状況特定手段１０Ｆ４は、資機材の稼働状況を特定する稼働状況特定手順を行う。例えば、稼働状況特定手段１０Ｆ４は、ＣＰＵ１０１Ｈ１等によって実現される。
【００６３】
予約状況特定手段１０Ｆ５は、資機材の予約状況を特定する予約状況特定手順を行う。例えば、予約状況特定手段１０Ｆ５は、ＣＰＵ１０１Ｈ１等によって実現される。
【００６４】
記憶手段１０Ｆ６は、図面データＤ１、プロフィール情報Ｄ２及びエリアデータＤ３等のデータを記憶する。例えば、記憶手段１０Ｆ６は、記憶装置１０１Ｈ２等によって実現される。
【００６５】
図面データ入力手段１０Ｆ７は、建築現場で建築する建築物の図面データＤ１を入力する図面データ入力手順を行う。例えば、図面データ入力手段１０Ｆ７は、入力装置１０１Ｈ４又はネットワークインターフェース１０１Ｈ３等によって実現される。
【００６６】
＜データの例＞
まず、図面データＤ１は、例えば、以下のようなデータである。
【００６７】
図５は、図面データの例を示す図である。図示する例では、図面データＤ１は、建築物の１フロアを示す。このように、事前処理等で、建築現場で建築される建築物の図面データＤ１が入力されるのが望ましい。例えば、図面データは、ＣＡＤ（Ｃｏｍｐｕｔｅｒ  Ａｉｄｅｄ  Ｄｅｓｉｇｎ）データの形式で入力される。
【００６８】
具体的には、図面データＤ１は、図示するように構造物における柱ＰＳの位置等を示すデータである。
【００６９】
次に、プロフィール情報Ｄ２は、例えば、以下のようなデータである。
【００７０】
図６は、プロフィール情報の例を示す図である。例えば、ビーコン用のプロフィール情報Ｄ２は、事前処理等で、図示するように登録される。具体的には、プロフィール情報Ｄ２は、各測位データの識別情報となる「ｉｄ」、各ビーコンのＩＤを示す「ｕｕｉｄ」、各ビーコンを管理するための番号である「ｍａｊｏｒ」並びに「ｍｉｎｏｒ」、ビーコンの電波強度を示す値（ＲＳＳＩ値）のオフセット値である「ｒｓｓｌ＿ｏｆｆｓｅｔ」及び各ビーコンが使用か否かを示す「ｅｎａｂｌｅ」等の設定を示すデータである。
【００７１】
次に、エリアデータＤ３は、例えば、以下のようなデータである。
【００７２】
図７は、エリアデータの例を示す図である。例えば、エリアは、図示するように、区切線ＬＮで設定される。すなわち、この例では、区切線ＬＮで囲まれた範囲が、一のエリアとなる。
【００７３】
上記のような図面データＤ１、プロフィール情報Ｄ２及びエリアデータＤ３があると、例えば、情報処理システムは、以下のように処理できる。
【００７４】
図８は、図面データ、プロフィール情報及びエリアデータを用いた処理例を示す図である。まず、情報処理システムは、図面データＤ１にエリアデータＤ３を当てはめると、例えば、図８（Ａ）のようなエリア設定データＤ１３が生成できる。
【００７５】
図８（Ａ）は、エリア設定データの例を示す図である。そして、このようなエリア設定データＤ１３がある状態で固定ビーコンのプロフィール情報Ｄ２があると、情報処理システムは、例えば、図８（Ｂ）のような配置データＤ４が生成できる。
【００７６】
図８（Ｂ）は、配置データＤ４の例を示す図である。まず、固定ビーコンのプロフィール情報Ｄ２には、各固定ビーコンの位置が入力される。具体的には、図示する例では、第３アイコンＩ３が、配置データＤ４上において固定ビーコンの位置を示す。したがって、固定ビーコンのプロフィール情報Ｄ２に基づいて、情報処理システムは、配置データＤ４のように、エリア設定データＤ１３上に固定ビーコンを配置する。そして、配置データＤ４がある状態で、測位データがあると（すなわち、ステップＳＡ０３が行われた状態である。）、情報処理システムは、例えば、図８（Ｃ）のような特定データＤ５が生成できる。
【００７７】
図８（Ｃ）は、特定データＤ５の例を示す図である。図示するように、測位データがあると、測位データが示す電波強度等から、移動ビーコンの近くにある固定ビーコンが分かる。そして、各固定ビーコンは、プロフィール情報Ｄ２によって位置が分かる。そのため、情報処理システムは、例えば、特定データＤ５のように、高所作業車が存在するエリアを特定して表示できる。
【００７８】
そして、情報処理システムは、特定データＤ５のように、例えば、第１アイコンＩ１及び第２アイコンＩ２で高所作業車が存在するエリアを表示する。さらに、特定データＤ５のように、第１１アイコンＩ１１及び第２１アイコンＩ２１等で、エリアに存在する高所作業車の数を表示できる。
【００７９】
＜まとめ＞
まず、受信器等は、固定ビーコン及び移動ビーコン等が有する発信手段から信号を受け取る。次に、受信器は、信号から、各発信手段の位置を示す測位データ等を生成できる。このような測位データがあると、エリア特定手段１０Ｆ１は、発信器が設けられた資機材が存在するエリアを特定できる。
【００８０】
このように、エリア特定手段１０Ｆ１が、資機材が存在するエリア等を特定した結果がると、出力手段１０Ｆ２は、特定されたエリアに資機材が存在することをアイコン等の特定情報で出力することができる。このような結果、例えば、出力手段１０Ｆ２は、後述する予約画面ＰＬＲのような形式等で稼働情報を出力できる。
【００８１】
共用する資機材の数が多かったり、建築物が多層階であったりすると、作業者は、資機材を見失いやすい。そこで、出力手段１０Ｆ２が携帯端末１０４等に稼働情報を出力すると、建築現場における共用する資機材がどこにいるか等を把握しやすくできる。
【００８２】
この結果、作業者は、遊休となっている資機材を見つけやすいため、効率の良い作業ができる。また、複数の作業者が同時に同じ資機材を使おうとするのを少なくできるため、資機材の奪い合い等を少なくすることができる。
【００８３】
さらに、情報処理システム１０には、特定操作を行うと、建築現場における共用する資機材の予約ができる。
【００８４】
［その他の実施形態］
また、鍵に第１発信手段を設け、かつ、資機材に第２発信手段を設けて、第１信号及び第２信号が発信される構成とするのが望ましい。このような構成であると、稼働状況特定手段１０Ｆ４は、第１信号及び第２信号が示すそれぞれの位置に基づいて、資機材の稼働状況を特定できる。
【００８５】
＜プロフィール情報について＞
プロフィール情報Ｄ２は、対応する資機材について画面上に表示する情報及び特性等を示す情報である。また、プロフィール情報Ｄ２は、資機材に対応して記憶され、対応する資機材の情報を表示する際等に参照される情報である。このように、プロフィール情報Ｄ２があると、情報処理システム１０は、資機材等について、様々な情報を出力することができる。
【００８６】
例えば、情報処理システム１０は、以下のような登録手段１０Ｆ３でプロフィール情報Ｄ２を登録できるのが望ましい。
【００８７】
図９は、プロフィール情報を登録する画面例を示す図（その１）である。
【００８８】
図１０は、プロフィール情報を登録する画面例を示す図（その２）である。
【００８９】
プロフィール情報Ｄ２は、例えば、図示するような第１画面ＰＬ１が示す表等に登録される。具体的には、図示するような表が、まず、第１画面ＰＬ１上に呼び出される。なお、既に登録済みの情報があると、登録済みの情報は、画面上に表示される。そして、画面に対して操作が行われると、作業者は、プロフィール情報Ｄ２を登録又は編集する操作ができる。このようにして、登録又は編集されたプロフィール情報Ｄ２は、例えば、サーバ１０１等に記憶される。
【００９０】
具体的には、図示する例では、プロフィール情報Ｄ２として「ｉｃｏｎ」、「資機材ＩＤ」、「表示名」及び「色」等が設定されている例である。なお、「ｉｃｏｎ」は、画面上に対象となる資機材を表示するためのアイコンの種類である。また、「資機材ＩＤ」は、各資機材の識別情報である。さらに、「表示名」は、資機材の名称等として表示される情報である。さらにまた、「色」は、画面上に表示する色を指定する情報である。
【００９１】
そして、プロフィール情報Ｄ２は、資機材に設けられる移動ビーコンと対応するように登録されるのが望ましい。そのため、複数の資機材が処理対象となるエリアに存在する場合であっても、情報処理システム１０は、どの資機材が選択中のエリアに存在しているか識別できる。同様に、固定ビーコンについても登録が行われる。
【００９２】
ゆえに、例えば、情報処理システム１０は、「６階」に存在する「３台」の資機材のうち、「高所作業車  １」、「高所作業車  ２」及び「高所作業車  ３」という名称を登録した資機材が当該エリアに存在すると識別できる。具体的には、事前処理によって、まず、固定ビーコンが登録される。そして、固定ビーコンについても、プロフィール情報Ｄ２が登録されるため、情報処理システム１０は、「６階」にある固定ビーコンを識別できる。したがって、「６階」にある固定ビーコンに近い位置で検出される移動ビーコンに対応する資機材は、「６階」に存在すると判断される。このように、「６階」に存在すると判断される資機材の数を数え、「６階」に資機材が３つあると判断されると、情報処理システム１０は、「６階」に「３台」の資機材が存在すると判断できる。
【００９３】
プロフィール情報Ｄ２は、例えば、リスト等の形式で表示される。図示するように、リストは、資機材を示すアイコンの画像及びあらかじめプロフィール情報Ｄ２として登録された「資機材名」等を示す。また、プロフィール情報Ｄ２等は、例えば、以下のような画面で登録される。
【００９４】
以下、図９に示す第１画面ＰＬ１及び図１０に示す第２画面ＰＬ２を用いて情報処理システム１０にプロフィール情報Ｄ２等を登録する例を説明する。なお、登録方法は、図示するような形式に限られない。すなわち、例えば、登録には、図示するのとは異なるＧＵＩ（Ｇｒａｐｈｉｃａｌ  Ｕｓｅｒ  Ｉｎｔｅｒｆａｃｅ）が用いられてもよい。
【００９５】
プロフィール情報Ｄ２と、資機材に設けられる発信手段とを対応させて登録する登録手順は、例えば、以下のように行われる。
【００９６】
まず、第１画面ＰＬ１及び第２画面ＰＬ２のどちらにもある「ｉｄ」は、いわゆる識別番号等である。したがって、「ｉｄ」が同一であると、「ｉｄ」に対する各項目に入力された情報は、同一の資機材等に関する情報である。以下、図示するように、各「ｉｄ」に対応するプロフィール情報Ｄ２等をリスト形式で示す場合を例に説明する。
【００９７】
例えば、プロフィール情報Ｄ２に含まれる各情報は、第３画面ＰＬ３等で登録される。図示する例では、「資機材ＩＤ」を示す部分がクリックされると、第３画面ＰＬ３が表示される例である。なお、新たに「ｉｄ」を作成してプロフィール情報Ｄ２等を登録する場合には、「新規作成」のボタンが押され、第３画面ＰＬ３が表示される。また、既に登録されているプロフィール情報Ｄ２等を変更する場合には、「編集」のボタンが押され、第３画面ＰＬ３が表示される。
【００９８】
具体的には、プロフィール情報Ｄ２として、第３画面ＰＬ３によって、「資機材ＩＤ」等が入力される。「資機材ＩＤ」は、資機材を識別するためのＩＤ（Ｉｄｅｎｔｉｆｉｃａｔｉｏｎ）を示す番号等である。図示するように、プロフィール情報Ｄ２として、「パスワード」及び「アイコン」等が入力されてもよい。なお、プロフィール情報Ｄ２は、図示するような項目及び入力形式でなくともよい。
【００９９】
図示するように、登録手順は、例えば、第３画面ＰＬ３によって実現される。図示するように、第３画面ＰＬ３には、プロフィール情報が入力される。そして、第３画面ＰＬ３に入力されるプロフィール情報は、図示するように、資機材、すなわち、移動ビーコンと対応するように登録手順によって登録される。
【０１００】
以上のように、移動ビーコン及び固定ビーコンは、いわゆるデータベース等の形式で管理される。
【０１０１】
＜共用する資機材について＞
資機材は、高所作業車１２０に限られない。例えば、資機材は、材料、足場又は複数の作業者が共用する建築現場で使用する道具等でもよい。
【０１０２】
＜信号について＞
各発信器が発信する信号は、例えば、近距離無線通信等の規格に準じた信号である。具体的には、信号は、例えば、周波数を２．４  ＧＨｚとする信号等である。また、信号は、Ｂｌｕｅｔｏｏｔｈ（登録商標）又は無線ＬＡＮ（Ｌｏｃａｌ  Ａｒｅａ  Ｎｅｔｗｏｒｋ）等の規格に準じた信号である。なお、信号は、Ｂｌｕｅｔｏｏｔｈで実現されるのが望ましい。Ｂｌｕｅｔｏｏｔｈを用いると、発信器及び受信器等は、ＢＬＥ（Ｂｌｕｅｔｏｏｔｈ  Ｌｏｗ  Ｅｎｅｒｇｙ）等を構成でき、低消費電力な通信ネットワーク網を構築できる。ただし、通信ネットワーク網は、様々な通信方式を組み合わせて用いてもよい。
【０１０３】
＜エリアデータについて＞
図７に示すように、エリアデータＤ３には、「エリア名」等の付随情報ＩＮＦ１が入力されてもよい。ほかにも、例えば、「Ｘ座標」及び「Ｙ座標」のように、エリアの座標値等が付随情報ＩＮＦ１として入力されてもよい。すなわち、エリアは、座標値等で設定されてもよい。また、付随情報ＩＮＦ１は、図示する以外の種類があってもよい。このように、付随情報ＩＮＦ１が入力できると、情報処理システム１０には、エリアの名称等が合わせて入力でき、管理が容易にできる。
【０１０４】
＜発信器の状態確認を行う形態について＞
携帯端末等によって、例えば、以下のように電波強度を表示するリクエストが入力できてもよい。
【０１０５】
図１１は、発信器の状態確認画面の例を示す図である。例えば、携帯端末等によって、登録された情報と、計測された電波強度とが対応付けされて、図示するように、計測結果等が表示される。なお、情報処理システム１０は、計測の結果、電波強度に問題がある発信器をアラーム等で知らせてもよい。ほかにも、情報処理システム１０は、計測の結果、登録していて電波強度がない発信器又は登録していない発信器が発する電波（ビーコン信号）があること等を知らせてもよい。
【０１０６】
具体的には、図示する例では、情報処理システム１０は、各発信器が発信する電波を計測した結果（以下「電波情報ＩＮＦ３」という。）等を表示する。図示するように、電波情報ＩＮＦ３は、現在位置の図面等と併せて表示されてもよい。具体的には、電波情報ＩＮＦ３として、「ｍａｊｏｒ」番号ＩＮＦ３１、「ｍｉｎｏｒ」番号ＩＮＦ３２、電波強度ＩＮＦ３３及び表示名ＩＮＦ３４等が表示される。また、図示する例は、電波強度が、バー表示ＩＮＦ３５等で表示される例である。このような画面があると、管理者等は、メンテナンス等の場合に、発信器の状態を確認できる。すなわち、発信器は、故障等であると、電源をＯＮにする等の状態にしても、電波を発信できない場合がある。電波が肉眼では見えないため、このような電波情報ＩＮＦ３があると、管理者等は、発信器の故障等を簡単に発見できる。
【０１０７】
なお、情報処理システム１０は、電池が電池の少ない状態である等を知らせてもよい。ほかにも、情報処理システム１０は、電波情報ＩＮＦ３に基づいて、発信器の設置し忘れ等を検出し、管理者等に知らせてもよい。また、電波情報ＩＮＦ３及び発信器の状態確認画面は、図示するような形式でなくともよい。
【０１０８】
なお、電波情報ＩＮＦ３は、例えば、電波強度が強い順に並べられる。したがって、電波強度が変化すると、表示される順序が並べ替えされる処理が行われてもよい。
【０１０９】
また、図示するような発信器の状態は、例えば、事前準備等に確認される。
【０１１０】
さらに、この例は、現在位置について、数特定情報（エリア特定手順の処理結果となる。）等が出力されている状態の例である。すなわち、この例では、携帯端末１０４を有する作業者は、「６階」のエリアにいる場合である。そして、この例では、携帯端末１０４は、画面に、階層を指定する用の階層指定ボタンＢＴ１を表示する。
【０１１１】
階層指定ボタンＢＴ１は、作業者が階層指定ボタンＢＴ１を押す操作を入力すると、階層を指定するための画面を表示するように遷移するＧＵＩである。このような操作が可能であると、携帯端末１０４は、表示する階層を切り替えることができる。
【０１１２】
＜各資機材が存在するエリアの特定について＞
情報処理システム１０は、各資機材が存在するエリアを特定するエリア特定手順を例えば以下のように行うのが望ましい。まず、固定ビーコンの位置は、設置の際に登録されて既知であるとする。このような場合には、情報処理システム１０は、測位データ等から、近くにある固定ビーコンが特定できるため、情報処理システム１０は、移動ビーコンが設置された資機材がどのエリアに存在しているかを特定できる。
【０１１３】
エリア特定手順を行うため、まず、例えば、図１０に示すような第２画面ＰＬ２において、対応する資機材に設けられる発信器１２１の情報（以下「発信器情報ＩＮＦ２」という。）等があらかじめ登録される。例えば、発信器情報ＩＮＦ２は、第４画面ＰＬ４等で入力される。発信器情報ＩＮＦ２が登録されると、サーバ１０１は、測位データ等を受信した場合にデータの送信元となった発信器を特定できる。具体的には、「ｕｕｉｄ」があらかじめ第４画面ＰＬ４等で入力され、かつ、測位データに「ｕｕｉｄ」と同様の内容を示すデータが含まれていると、サーバ１０１は、測位データを送信した発信器を特定できる。
【０１１４】
なお、発信器情報ＩＮＦ２は、例えば、図１０（Ｂ）に示すような項目の情報である。図示する例では、「ｉｄ」に、管理上の通し番号等が設定される。「ｕｓｅｒｎａｍｅ」には、対応する移動ビーコンで管理する資機材の名称等が入力される。「ｍａｊｏｒ」及び「ｍｉｎｏｒ」は、ビーコンを管理するのに用いる番号である。「ｒｓｓｌ＿ｏｆｆｓｅｔ」は、電波強度の計測結果等である。「ｅｎａｂｌｅ」は、各ビーコンが使用可能な状態であるか否かの状態を示す情報である。
【０１１５】
すなわち、エリア特定手順は、例えば、まず、固定ビーコンからの信号と、移動ビーコンからの信号とを受信する。これらの信号があると、固定ビーコンと、移動ビーコン位置関係から、高所作業車１２０が存在する位置が特定できる。すなわち、情報処理システム１０は、高所作業車１２０が存在するエリアを特定できる。
【０１１６】
エリア特定手段は、サーバ１０１による特定情報の更新処理、すなわち、ステップＳＡ０４での処理を例示したが、携帯端末１０４側で処理が行われてもよい。この場合には、携帯端末１０４には、図面データＤ１と、エリアデータＤ３とを記憶しておく手段が必要になる。これによれば、サーバ１０１と、携帯端末１０４とが、オフラインであっても、高所作業車の位置を特定することができる。
【０１１７】
＜出力形式の指定について＞
情報処理システム１０には、作業者が出力形式をステップＳＢ０５でリクエストできるのが望ましい。例えば、エリアは、階層で設定されてもよい。そして、エリアを階層とし、例えば、リクエストによって表示する階層が指定されると（ステップＳＢ０５）、リクエストに応じて以下のような画面が表示される（ステップＳＢ０６）。
【０１１８】
図１２は、情報処理システムによる表示例を示す図である。例えば、情報処理システム１０は、図１２（Ａ）に示すような表示を画面上に出力する（ステップＳＢ０６）。具体的には、情報処理システム１０は、まず、建築現場で対象となる建築物２０において、ある階を示す図面を表示する。そして、図示するように、情報処理システム１０は、例えば、建築物２０を所定の区域に区切って表示する。
【０１１９】
図１２（Ａ）に示す例は、１フロアとなる空間を図面において、縦方向に３区域かつ横方向に３区域に区切り、合計して９区域となるように区切って表示する例である。なお、区域の区切り方は、設定できてよい。例えば、１区域の面積、境界線の位置又は各区域のそれぞれの名称等は、あらかじめ設定できてよい。
【０１２０】
そして、図１２（Ａ）に示すように、図面データＤ１が入力されると、情報処理システム１０は、高所作業車１２０の位置を第１アイコンＩ１及び第２アイコンＩ２等で示すことができる。
【０１２１】
また、図１２（Ａ）に示す例における第１アイコンＩ１及び第２アイコンＩ２のように、アイコンは、一のエリアの例である区域に、複数の高所作業車１２０が存在することを示せるのが望ましい。
【０１２２】
具体的には、図１２（Ａ）に示す例では、第１アイコンＩ１は、左から３列目かつ上から２行目の区域に、高所作業車１２０が存在することを示す。さらに、第１アイコンＩ１は、第１１アイコンＩ１１を有し、第１１アイコンＩ１１で「３」という情報を示す。このような表示がされると、当該区域に、高所作業車１２０が「３台」存在することが分かる。
【０１２３】
同様に、図１２（Ａ）に示す例では、第２アイコンＩ２は、左から１列目かつ上から３行目の区域に、高所作業車１２０が存在することを示す。さらに、第２アイコンＩ２は、第２１アイコンＩ２１を有し、第２１アイコンＩ２１によって、「６」という情報を示す。このような表示がされると、当該区域に、高所作業車１２０が「６台」存在することを示す。
【０１２４】
このように、情報処理システム１０は、第１１アイコンＩ１１及び第２１アイコンＩ２１等のように、数特定情報をアイコン等で示すのが望ましい（ステップＳＢ０６）。また、数特定情報は、図示するように、エリアごとに、それぞれのエリアに存在する資機材の合計数を示す情報であるのが望ましい。このような形式で数特定情報が出力されると、情報処理システム１０は、数特定情報を作業者に分かりやすく伝えることができる。
【０１２５】
図示する例では、数特定情報は、第１１アイコンＩ１１及び第２１アイコンＩ２１で出力される例である。
【０１２６】
なお、数特定情報は、図示するような第１１アイコンＩ１１及び第２１アイコンＩ２１で出力される形式に限られない。例えば、情報処理システム１０は、アイコンを６つ表示して資機材の数を表現してもよい。又は、情報処理システム１０は、アイコンの大きさを異ならせて表示して資機材の数を表現してもよい。
【０１２７】
また、図１２（Ａ）に示す例のように、情報処理システム１０は、固定ビーコンの位置を第３アイコンＩ３等で示すのが望ましい。このような構成であると、情報処理システム１０は、固定ビーコンの位置も図面上に表示でき、ビーコンのメンテナンス又は施工を行う階が移る場合に好ましい。
【０１２８】
ほかにも、情報処理システム１０は、エリアを階層としてもよい。すなわち、情報処理システム１０は、作業者から、階層別に数特定情報等を出力するようにリクエストを受け付けてもよい。具体的には、情報処理システム１０は、例えば、図１２（Ｂ）のような形式で数特定情報等を出力するようにリクエストを受け付けてもよい。
【０１２９】
図１２（Ｂ）では、建築物２０は、３０階の階層がある構造とする。そして、図示するように、情報処理システム１０は、階層別にエリアを割り当てる。図示する例では、情報処理システム１０は、３０階のうち、エリア切替ＥＳＷへの入力に応じて、１階から１０階までの各階層に対応させて、それぞれの階層に存在する数特定情報ＩＮＦ６を「台数」で表示する。
【０１３０】
具体的には、まず、エリア切替ＥＳＷで、「１−１０Ｆ」が選択されたとする。図示する例では、情報処理システム１０は、５階（図では、階層表示ＩＮＦ５で「５Ｆ」と示すエリアである。）には、合計して「２０台」の資機材があることを示す。なお、全階層切替ＡＳＷが押された場合には、全エリアの数特定情報が表示される。
【０１３１】
このように、情報処理システム１０は、階層ごと、エリアに存在する資機材の合計数を表示してもよい。そして、階層がエリアとして設定されると、情報処理システム１０は、各階層にある資機材の合計数等が分かりやすく表示できる。
【０１３２】
すなわち、情報処理システム１０は、建築物の階層別に、エリアが割り当てられると、図１２（Ｂ）等のように、階層別の表示が出力可能となる。そして、情報処理システム１０は、階層ごとの資機材の合計数を表示できる図１２（Ｂ）のような画面を表示するように遷移する。
【０１３３】
さらに、情報処理システム１０は、例えば、図１２（Ｃ）に示すような表示が可能であってもよい。例えば、図１２（Ｃ）に示す例のように、情報処理システム１０は、画面の右側で、図１２（Ａ）と同様に、図面データに基づいて建築物２０の構造を示す図面と、資機材を示すアイコンとを表示する。
【０１３４】
また、図１２（Ｃ）に示す画面では、情報処理システム１０は、画面の左側で、図示するように、現在選択されているエリアと、選択中のエリアに存在する資機材の合計数とを示す表示バーＵＩ１等を表示する。図示するように、表示バーＵＩ１は、例えば、「階選択」の欄で「６Ｆ」のように、現在選択中のエリアが「６階」であることを示し、かつ、「６階」に資機材が合計して「１０台」存在することを示すＧＵＩの例である。このような形式で、情報処理システム１０は、階層ごと、エリアに存在する資機材の合計数を表示してもよい。
【０１３５】
なお、図１２（Ｃ）に示すように、合計数は、表示されてない区域に存在する資機材も含めて合計した数でもよい。
【０１３６】
以上のような画面は、情報処理システム１０が、エリア特定手順の結果に基づいて、出力手順を行うことで表示できる。すなわち、情報処理システムが、出力手順を行うと、図８等に示すような画面が表示されるように画面が遷移する。ほかにも、出力手順によって以下のような画面が表示されてもよい。
【０１３７】
図１３は、プロフィール情報を登録した結果例を示す図である。すなわち、事前処理等でプロフィール情報Ｄ２が登録されると、情報処理システム１０は、例えば、図示するような画面を表示できる。具体的には、図示する画面は、エリアを「６階」とする場合の例である。したがって、情報処理システム１０は、図示するように、画面の右側に建築物２０の構造を示す図面等を表示し、かつ、「６階」に「３台」の高所作業車１２０が存在することを示すアイコンを表示する。
【０１３８】
この例では、プロフィール情報Ｄ２は、バーＵＩ２で表示される「資機材名」等である。なお、プロフィール情報Ｄ２をどのような項目にするかは、情報処理システム１０にあらかじめ設定できる。
【０１３９】
ほかにも、情報処理システム１０は、移動等により、高所作業車１２０がエリアの境界上等にある場合には、ある程度、ゆっくりと表示を切り替えるのが望ましい。高所作業車１２０がエリアの境界を行き来する場合等では、アイコン等が激しく切り替わる場合がある。このような表示は、見にくい場合が多い。そこで、情報処理システム１０は、短期間に何度もエリアを変更して高所作業車１２０を表示するのを防ぐのが望ましい。そのため、高所作業車１２０が２つのエリアにまたがっている場合には、表示が激しく切り替わるのを防ぐため、不感帯となるバッファ等があってもよい。
【０１４０】
＜資機材の稼働状況の特定について＞
例えば、資機材の稼働状況は、以下のように特定される。
【０１４１】
図１４は、資機材の稼働状況の特定例を示す図である。例えば、資機材の稼働状況は、資機材を稼働させるのに用いられる鍵ＫＹに設けられる第１発信器ＴＭ１から発信される信号（以下「第１信号ＳＩＧ１」という。）と、高所作業車１２０に設けられる第２発信器ＴＭ２から発信される信号（以下「第２信号ＳＩＧ２」という。）とに基づいて特定される。すなわち、受信器ＲＥは、第１信号ＳＩＧ１及び第２信号ＳＩＧ２に基づいて、鍵ＫＹと、高所作業車１２０のそれぞれの位置を示す測位データを生成する。したがって、情報処理システム１０は、鍵ＫＹと、高所作業車１２０のそれぞれの位置を特定できる。
【０１４２】
まず、鍵ＫＹは、作業者２００が高所作業車１２０を稼働させるのに用いられる。すなわち、鍵ＫＹがないと高所作業車１２０は、稼働しないため、高所作業車１２０が稼働している状態では、高所作業車１２０に鍵ＫＹが取り付けられている状態である場合が多い。ゆえに、鍵ＫＹと、高所作業車１２０のそれぞれの位置がほぼ一致する場合には、情報処理システム１０は、「稼働中」であると特定できる。一方で、鍵ＫＹと、高所作業車１２０のそれぞれの位置が所定の距離以上離れている場合等には、情報処理システム１０は、「非稼働」であると特定できる。この場合には、鍵ＫＹは、事務所等で管理されている状態等である場合が多い。
【０１４３】
ほかにも、使用者は、例えば、直近の予約情報等から特定される。この場合には、使用者を特定可能な使用者情報は、プロフィール情報として、あらかじめ登録可能である。
【０１４４】
なお、鍵ＫＹは、機械式の鍵に限られず、資機材を稼働させることができればよく、電子式又はカード式等でもよい。また、資機材の種類によっては、鍵ＫＹは、ほぼ発信器だけで構成されてもよい。
【０１４５】
＜予約について＞
予約は、携帯端末１０４に対して特定操作がなされることで入力される。具体的には、予約は、ステップＳＢ０１で以下のような画面で行われる。
【０１４６】
図１５は、予約画面の例（その１）を示す図である。図示する、初期画面ＰＬ５は、予約が入力される前の画面例である。そして、予約は、予約画面ＰＬＲで行われる。
【０１４７】
例えば、予約は、階層別で表示される予約欄ＬＲに入力される。以下、エリアが階層である例で説明する。なお、エリアは、階層に限られず、水平方向において区切った「区域」等でもよい。以下、図示するように、稼働状況があらかじめ特定されて「稼働」の欄に表示される例で説明する。また、図示するように、稼働状況は、予約を行う「当日」（この例では、当日表示ＤＹ１に示す「７月２日」である。）の状況であり、予約は、「翌日」（この例では、予約日表示ＤＹ２に示す「７月３日」である。）を対象とする。なお、予約を行う「予約日」は、稼働状況が特定された際に更新されてもよい。
【０１４８】
また、図示するように、予約は、予約者ＲＰごとに区切られているのが望ましい。具体的には、図示する例は、予約者ＲＰとして、「ダクト」、「配管１」、「配管２」及び「保温１」の４業者があらかじめ設定されている例である。この例のように、予約者ＲＰごとに、予約状況が分けて表示されると、作業者等は、誰が予約しているか等を把握しやすい。なお、予約者ＲＰは、あらかじめプロフィール情報等として、予約者ＲＰを特定可能な予約者情報等で登録可能である。すなわち、予約者情報は、「ダクト」、「配管１」、「配管２」及び「保温１」等のように、業者名等である。また、予約者情報は、使用者情報と兼ねられてもよい。つまり、予約者と使用者とは、一致してもよいし、別々に設定されてもよい。このような予約者情報及び使用者情報があると、情報処理システム１０は、図示するように、使用者及び予約者ごとに予約状況等を出力できる。
【０１４９】
また、図示するように、予約情報及び稼働情報を示す状況画面ＰＬＣ等が表示されてもよい。このような画面があると、予約と、稼働状況とを比較しやすくできる。
【０１５０】
なお、予約は、例えば、以下のように、アイコンを使用した操作で入力できるのが望ましい。
【０１５１】
図１６は、予約画面の例（その２）を示す図である。まず、予約を行う際には、稼働状況が特定され（ステップＳＡ０４）、稼働状況がアイコン（以下「稼働状況アイコンＩ４」という。）が稼働欄ＬＭに表示されているのが望ましい。なお、稼働状況の出力については、後述する。
【０１５２】
例えば、予約は、図示するように、アイコンをドラックアンドドロップ（ｄｒａｇ‐ａｎｄ‐ｄｒｏｐ）操作で入力できるのが望ましい。図示する例は、「当日」の稼働状況と同じ種類の資機材を同じエリアで同じ業者に使用させるように「翌日」の分を予約する例である。つまり、この例では、「当日」の稼働状況と同じようになるように、「翌日」の分を予約する例である。
【０１５３】
具体的には、まず、この例は、図示するように、「３Ｆ」のエリアにおいて、「計測１」という使用者によって「１３」という資機材が稼働している稼働状況である。稼働状況アイコンＩ４は、このような稼働情報を示すアイコンの例である。
【０１５４】
この例では、作業者は、予約を行うために、図示するように、稼働欄ＬＭにある稼働状況アイコンＩ４を予約欄ＬＲにドラックアンドドロップする操作を行う。このような操作をすると、予約欄ＬＲにアイコンをコピーでき、予約ができる。すなわち、このようなドラックアンドドロップによるアイコンのコピーで予約ができると、作業者は、予約者、資機材及びエリア等を改めて入力する手間が少なくできる。また、予約は、稼働状況を参考にして予約できると便利である。
【０１５５】
なお、ドラックアンドドロップによる予約は、稼働状況とは違うエリア又は予約者にコピーできてもよい。
【０１５６】
また、予約は、ドラックアンドドロップによる以外の操作で入力できてもよい。例えば、予約欄ＬＲをタップすると、資機材の識別番号（この例では、「１３」等である。）等が入力できるようになるとする。そして、資機材の識別番号等を入力すると、作業者は、予約を行うことができる。このように、いわゆる「直接入力」ができてもよい。
【０１５７】
以上のような操作等により、予約が行われた場合には、情報処理システム１０は、状況画面ＰＬＣ等に予約を反映させて、更新してもよい。
【０１５８】
＜重複予約の表示例＞
なお、上記のような操作を行う場合において、以下のような表示がされるのが望ましい。
【０１５９】
図１７は、重複予約を表示する例（その１）を示す図である。図示する例では、「１１」という番号で登録されている資機材がステップＳＢ０１で予約の対象となる例である。
【０１６０】
この例では、図示するように、予約済アイコンＩ５が表示されている。すなわち、「１１」という番号で登録されている資機材は、既に「５Ｆ」に予約済みの状態である。一方で、操作では、作業者は、同一の資機材を対象とし、「５Ｆ」とは別に稼働状況アイコンＩ４をコピーして「４Ｆ」にも予約を取ろうとしている。すなわち、このような予約は、いわゆる「重複予約」である。
【０１６１】
「１１」という資機材は、２箇所で同時に使用することができないため、このような重複予約があるのは望ましくない。そこで、情報処理システム１０は、予約の対象となっている資機材が他の階層において既に予約済みとなっているか否かをチェックする。
【０１６２】
そして、情報処理システム１０は、チェック結果をアイコン等で知らせる。図示する例では、予約済アイコンＩ５により予約がされた後、稼働状況アイコンＩ４をドラックアンドドロップによる操作で予約を行おうとすると、図示するように、情報処理システム１０は、調整が必要であることを知らせるアイコン（以下「要調整アイコンＩ６」という。）を表示する。図示するように、要調整アイコンＩ６は、例えば、調整が不要な「１０」等の資機材の予約を示すアイコンとは異なる色である。このように、要調整アイコンＩ６が表示されると、作業者は、調整が必要な予約が発生したことに気付きやすい。すなわち、要調整アイコンＩ６で示す資機材がある場合には、予約者は、重複予約となっている資機材の予約を変更する等の調整を行う。
【０１６３】
なお、重複予約は、エリアでなく、例えば、以下のように、予約者についてチェックされてもよい。
【０１６４】
図１８は、重複予約を表示する例（その２）を示す図である。以下、図１７と同様に、「１１」という番号で登録されている資機材がステップＳＢ０１で予約の対象となる例で説明する。図示する例では、図１７と比較すると、「１１」という番号で登録されている資機材を「保温１」という予約者で予約する点が異なる。なお、図１７と同様に、「１１」という番号で登録されている資機材は、既に「計装１」という予約者が「５Ｆ」に予約済みであるとする。すなわち、この例では、予約対象アイコンＩ７１を入力する前に、予約済アイコンＩ７２が入力されているとする。したがって、図示するように、「１１」という番号で登録されている資機材を更に予約しようとすると、予約は、重複予約となる例である。
【０１６５】
このような場合には、例えば、予約対象アイコンＩ７１及び予約済アイコンＩ７２は、「要調整」を知らせる要調整アイコンとなる。このように、要調整アイコンが表示されると、作業者は、異なる予約者の間で調整が必要な予約が発生したことに気付きやすい。
【０１６６】
なお、重複予約は、図示するように、アイコン以外で知らされてもよい。図示する例では、画面の左側における階層ごとの資機材の数において、情報処理システム１０は、重複予約が発生している階層を警告表示する例である。
【０１６７】
この例では、予約対象アイコンＩ７１の予約が重複予約となる。そこで、図示する画面の左側で「全体予約状況」を示す上で、情報処理システム１０は、予約対象アイコンＩ７１を入力する先となる「４Ｆ」を警告表示ＡＬ１とする。また、図示するように、いずれかのエリアで重複予約が発生している場合には、「全数」の箇所に、警告表示ＡＬ２が表示されてもよい。
【０１６８】
警告表示ＡＬ１のような表示がされると、作業者は、重複予約が発生しているエリアに気付きやすい。同様に、警告表示ＡＬ２のような表示がされると、作業者は、いずれかのエリアで重複予約が発生していることに気付きやすい。
【０１６９】
なお、警告表示ＡＬ１及び警告表示ＡＬ２は、図示するように、色を変えて強調する表示に限られない。表示形式は、他の強調方法でもよく、例えば、点滅、メッセージの表示又はこれらの組み合わせでもよい。
【０１７０】
また、重複予約を解消させるための調整後、例えば、以下のような操作がされてもよい。
【０１７１】
図１９は、重複予約を表示する例（その３）を示す図である。以下、図１８に示す操作が行われ、重複予約が発生した場合を例に説明する。
【０１７２】
重複予約がある場合には、重複予約となっている予約のうち、いずれかの予約は、調整等により、削除するのが望ましい。以下、「保温１」の予約者が予約している予約対象アイコンＩ７１の予約を削除するように調整がステップＳＢ０１でされたとする。
【０１７３】
この場合には、作業者は、図示するように、予約対象アイコンＩ７１を選択する操作を入力する。したがって、予約対象アイコンＩ７１は、「選択中」の状態となる。そして、情報処理システム１０は、例えば、図示するように、削除アイコンＩ８を更に表示する。
【０１７４】
削除アイコンＩ８は、「選択中」の予約を削除する操作を受け付けるためのアイコンの例である。したがって、削除アイコンＩ８がタップされると、予約対象アイコンＩ７１は、削除される。このような操作がされると、重複予約が解消する。
【０１７５】
なお、上記のような操作がされた場合には、このような操作の結果が、「全体予約状況」等に反映されてもよい。つまり、警告表示ＡＬ１及び警告表示ＡＬ２等が消されてもよい。さらに、予約済アイコンＩ７２は、重複予約が発生していないことを示すアイコンに切り替わってもよい。
【０１７６】
＜「予約なし」についての操作例＞
予約が行われた後、例えば、以下のような表示及び操作があるのが望ましい。図示するように、資機材の例である高所作業車１２０が図示するように合計して「１４台」であるとする。以下、これらの資機材のうち、図示するように、「７」乃至「１４」の番号で示す資機材を対象とする例で説明する。
【０１７７】
図２０は、予約がない資機材を知らせる例（その１）を示す図である。例えば、予約がない資機材は、図示するように、ステップＳＢ０１で、「全体予約状況」等において「（１）」のように表示される。つまり、かっこ内の数は、予約がなく、遊休となる可能性が高い資機材の数である。以下、「（１）」のように、予約がない資機材の数を示す表示を「未予約数ＮＲ１」という。図示する例では、未予約数ＮＲ１は、「１」を示すため、「４Ｆ」の階層に「１台」の予約がない資機材が存在することを示す。このように、未予約数ＮＲ１のような表示があると、作業者は、予約がされていない資機材があることに気付きやすい。
【０１７８】
また、図示するように、情報処理システム１０は、全体において予約がない資機材の数を示してもよい。図示する例では、「予約なし」の箇所に表示される数が、全体において予約がない資機材の数を示す。以下、全体において予約がない資機材の数を示す表示を「未予約全体数ＮＲ２」という。図示する例では、予約がない資機材は、「４Ｆ」にある「１台」だけであるため、未予約全体数ＮＲ２も、「１台」となる。このように、未予約全体数ＮＲ２のような表示があると、作業者は、予約がされていない資機材がいずれかのエリアにあることに気付きやすい。
【０１７９】
この例では、「４Ｆ」で稼働している資機材のうち、「８」の番号で示す資機材が、予約のない資機材である。例えば、未予約数ＮＲ１及び未予約全体数ＮＲ２に基づいて、作業者が、図示するように、予約がされていない「８」の番号で示す資機材を「保温１」の予約者に予約する操作を行うとする。このような操作が行われた場合には、情報処理システム１０は、以下のような画面に切り替える。
【０１８０】
図２１は、予約がない資機材を知らせる例（その２）を示す図である。以下、図２０に示すような操作が行われた後の表示例を示す。図２０と比較すると、図２１は、図２０に示す状態において「８」の番号で示す資機材がステップＳＢ０１で更に予約された後である点が異なる。
【０１８１】
図２０に示す操作がステップＳＢ０１で行われると、操作結果を反映して、状況画面ＰＬＣにおける表示が変化する。具体的には、図２１では、図２０において表示されている未予約数ＮＲ１及び未予約全体数ＮＲ２が消えている点が異なる。
【０１８２】
また、予約がない資機材は、予約済と異なるアイコンで表示されてもよい。図示する例では、「８」の稼働状況アイコンＩ４は、図２０と、図２１とでは異なるアイコンで表示される。このように、アイコンによって、「予約なし」及び「予約済」等が、区別されて表示されてもよい。
【０１８３】
以上のように、予約がない資機材を作業者が気付きやすいような表示がされると、作業者は、予約がない資機材を探しやすい。そして、予約がない資機材等に対して予約が追加されると、遊休の資機材が少なくできる。すなわち、資機材がより有効に使用され、作業効率が改善できる。
【０１８４】
＜特定情報、稼働情報及び予約情報等の表示例＞
例えば、稼働情報及び予約情報等は、特定情報等により、以下のように出力される。
【０１８５】
図２２は、特定情報、稼働情報及び予約情報等の出力例を示す図である。図示する例では、予約欄ＬＲに、ステップＳＡ０２で入力された予約情報が表示される例である。さらに、図示する例では、稼働欄ＬＭに、ステップＳＡ０４で特定された稼働状況が表示される例である。この例のように、情報処理システム１０は、稼働状況を特定可能な稼働情報と、予約状況を特定可能な予約情報とを表示する。また、この出力例では、情報処理システム１０は、資機材の存在を画面の右側でアイコン等で示し、かつ、資機材の存在を状況画面ＰＬＣで示す。すなわち、資機材の存在を特定可能な特定情報は、例えば、アイコン及び「全体稼働状況」等で出力される。
【０１８６】
なお、稼働情報及び予約情報等は、定期的に更新されてもよい。例えば、「１０分」間隔のように、更新が行われる周期が設定されると、更新が周期ごとに行われ、稼働情報は、定期的に更新されてもよい。
【０１８７】
また、図示するように、例えば、「稼働中」又は「非稼働」等の稼働状況は、アイコン等により、作業者が気付きやすく表示されるのが望ましい。図示する例では、「稼働中」を示す稼働アイコンＩＭは、鍵ＫＹ等に基づいて「稼働している状態」と判断された資機材を示す。一方で、「非稼働」を示す非稼働アイコンＩＮは、鍵ＫＹ等に基づいて「稼働していない状態」と判断された資機材を示す。図示するように、稼働アイコンＩＭと、非稼働アイコンＩＮとが異なる色等であると、作業者は、稼働状況が分かりやすい。
【０１８８】
なお、図示する例では、情報処理システム１０は、警告アイコンＩＡＬ１又は数値等で様々な状況を知らせる。例えば、情報処理システム１０は、未予約数ＮＲ１及び未予約全体数ＮＲ２等で予約がされていない資機材の数を表示する。そして、予約状況に対して現在がどのような状態であるかを比較できる形式で「稼働状況」を表示する。
【０１８９】
また、「予約なし」であっても、実際には、「稼働中」と特定される資機材がある。図示する例では、「８」の番号で示す資機材は、「予約なし」であるため、「３Ｆ」の予約欄ＬＲでは、警告アイコンＩＡＬ１で表示される。一方で、「３Ｆ」の稼働欄ＬＭでは、例えば、「８」の番号で示す資機材は、稼働アイコンＩＭで表示される。このような組み合わせであると、「予約なし」ではあるが、いずれかの使用者が使用し、「稼働中」である資機材が分かる。
【０１９０】
ほかにも、予約されたエリアと、実際に稼働するエリアとが異なる資機材がある。図示する例では、「１０」の番号で示す資機材は、「４Ｆ」に予約された場合の例である。したがって、「４Ｆ」の予約欄ＬＲに予約されたことを示す「予約内容」のアイコンが表示される。一方で、「１０」の番号で示す資機材は、実際には、「５Ｆ」で稼働しているとする。このような場合には、「５Ｆ」の稼働欄ＬＭに、「８」の番号で示す資機材は、稼働アイコンＩＭで表示される。このような組み合わせであると、予約と異なるエリアで稼働している資機材が分かる。
【０１９１】
なお、これらの状況は、「全体稼働状況」にも反映されるため、「全体稼働状況」からも、上記のような状況が分かる。
【０１９２】
＜比較結果情報例＞
上記のような稼働情報及び予約情報等は、比較等が行われ、重複予約又は予約のない資機材等の比較結果情報と併せて出力されるのが望ましい。例えば、重複予約の情報がある場合には、重複予約がされた資機材は、使用者の間で調整が行われるのが望ましい。このような調整は、作業開始前であるのが望ましい。したがって、稼働情報及び予約情報等は、調整が行われる際に出力されるのが望ましい。なお、比較結果情報は、例えば、ステップＳＢ０４等で、以下のように出力される。
【０１９３】
図２３は、比較結果情報等の出力例を示す図である。例えば、直近の稼働状況と、予約状況とが比較されて画面に表示される。図示する例は、画面の左側で比較結果を表示する例である。具体的には、直近の稼働状況と、予約状況とを比較し、比較の結果、直近の稼働状況における資機材の数より、予約状況で予約された数が多い場合、情報処理システム１０は、強調表示ＣＰ１を行う。図示する例では、「４Ｆ」における直近の稼働状況の資機材は、「７台」であったのが、予約では「９台」と２台増加する。このような状態を情報処理システム１０は、強調表示ＣＰ１で階層ごとに知らせる。
【０１９４】
また、図示するように、情報処理システム１０は、エリア全体を合計した結果について、情報処理システム１０は、強調表示ＣＰ２を行ってもよい。図示する例では、「全数」における直近の稼働状況の資機材は、「１４台」であったのが、予約では「１６台」と２台増加する。このような状態を情報処理システム１０は、強調表示ＣＰ２で全エリアについて知らせる。
【０１９５】
図示するように、稼働状況と、予約状況との比較結果が表示されると、資機材の数が増加しているか否か等が分かる。いわゆる「多め」に予約がされると、このような結果となる場合が多い。１つの使用者が予約によって「多め」に確保してしまうと、使用しきれず、予約したが、遊休となってしまう資機材が発生しやすい。そこで、現状の稼働状況等を参考にして、多すぎず、少なすぎずの予約がされるのが望ましい。このように、比較結果が表示されると、作業効率を改善できる。
【０１９６】
なお、比較を行う組み合わせは、直近の稼働状況と、予約状況とに限られない。例えば、比較は、予約状況と、前回の予約状況とを比較してもよい。
【０１９７】
＜表示の変形例＞
図２４は、特定情報、稼働情報及び予約情報等の出力の変形例（その１）を示す図である。特定情報、稼働情報及び予約情報等は、例えば、図示するように、「ＡＭ」及び「ＰＭ」のように、時間帯ＴＩで区切られて出力されてもよい。
【０１９８】
なお、区切り方は、例えば、「１０：００〜１１：００」のように更に細かくてもよい。このような場合では、時間帯等は、設定できてもよい。さらに、このような表示方法は、複数できてもよく、例えば、作業者の操作に基づいて、表示形式は、切り替えできてもよい。
【０１９９】
また、ステップＳＢ０４等の表示は、以下のように、資機材の種類ごと等に表示できてもよい。
【０２００】
図２５は、特定情報、稼働情報及び予約情報等の出力の変形例（その２）を示す図である。図示するように、稼働状況等は、「資機材の種類」ごとに表示されてもよい。このような表示ができると、作業者が見たい種類の資機材がどのような状況か分かりやすく表示できる。なお、それぞれの資機材がどのような種類であるかは、例えば、プロフィール情報等で特定できる。
【０２０１】
＜特定操作について＞
特定操作は、例えば、図１６等のように、稼働情報を援用し、かつ、ドラックアンドドロップ等の操作ができるのが望ましい。また、予約は、図２３に示す比較等が行われると、資機材の使用効率が良くなるため、より効率の良い作業ができる。
【０２０２】
また、予約の際には、上記のような表示等がされると、調整等が行われるため、資機材の奪い合い等が少なくできる。
【０２０３】
画面には、例えば、図２５に示すように、更新が行われた直近の日時ＤＹ３が表示されてもよい。
【０２０４】
発信器及び受信器は、取り外し可能でもよい。
【０２０５】
また、鍵の位置を作業者等の人の位置と推定し、人の位置等が特定されてもよい。
【０２０６】
なお、数特定情報を示す数字等は、画面を拡大又は縮小する操作が行われても、大きさがほぼ維持されるのが望ましい。
【０２０７】
また、プロファイル情報等は、例えば、ＣＳＶファイル等で一括入力、一括出力又はこれらの組み合わせができてもよい。
【０２０８】
なお、特定情報は、図示するような形式に限られない。例えば、「稼働中」及び「非稼働」等は、アイコンの形状、模様、色、枠線の線種、色の濃淡、点滅、付随情報の有無又はこれらの組み合わせ等により出力されてもよい。表示形式は、あらかじめ設定できる。例えば、表示形式は、上記の図で示すように、欄外等に解説があったり、又は、説明書等にあらかじめ解説が記載されたりするのが望ましい。
【０２０９】
なお、アイコンの絵、大きさ又は配置等は、上記に説明した通りでなくともよい。つまり、アイコンの絵、大きさ又は配置等は、あらかじめ管理者等が設定できてもよい。
【０２１０】
また、強調方法及び警告方法等は、上記に説明した形式でなくともよい。つまり、作業者等に、異常等を知らせることができればいずれの方法でもよい。
【０２１１】
なお、発信器の位置を検出する方法は、信号を用いる方法であればよい。つまり、実施形態では、資機材が存在するエリアが特定できる程度に発信器の位置が検出できる方法であれば、いずれも適用できる。
【０２１２】
実施形態は、上記の例に限られない。例えば、情報処理装置の数は、上記の数に限られない。また、情報処理装置の種類及び組み合わせも、上記の構成でなくともよい。
【０２１３】
実施形態は、上記の処理に限られない。例えば、本発明に係る情報処理方法は、上記に説明した以外の順序で行われてもよい。また、情報処理方法は、複数の情報処理装置で実行されてもよい。つまり、情報処理方法における各ステップは、冗長、分散、並列、仮想化又はこれらの組み合わせで実行されてもよい。
【０２１４】
実施形態は、プログラムによって実現されてもよい。すなわち、情報処理装置等のコンピュータは、プログラムに基づいて、演算装置及び記憶装置等を制御して上記の情報処理方法を実行してもよい。また、プログラムは、コンピュータが読み取り可能な記録媒体に記録されて頒布することができる。なお、記録媒体は、磁気テープ、フラッシュメモリ、光ディスク、光磁気ディスク又は磁気ディスク等のメディアである。さらに、プログラムは、電気通信回線を通じて頒布することができる。
【０２１５】
なお、上記実施形態に挙げた構成等に、その他の要素との組み合わせ等、上記の構成に本発明が限定されるものではない。これらの点に関しては、本発明の趣旨を逸脱しない範囲で変更することが可能であり、その応用形態に応じて適切に定めることができる。
【符号の説明】
【０２１６】
１０                    ：情報処理システム
１０Ｆ１                ：エリア特定手段
１０Ｆ２                ：出力手段
１０Ｆ２１              ：比較結果出力手段
１０Ｆ３                ：登録手段
１０Ｆ４                ：稼働状況特定手段
１０Ｆ５                ：予約状況特定手段
２０                    ：建築物
１０４                  ：携帯端末
１２０                  ：高所作業車
２００、２０１          ：作業者
Ｉ１                    ：第１アイコン
Ｉ２                    ：第２アイコン
Ｉ３                    ：第３アイコン
Ｉ４                    ：稼働状況アイコン
Ｉ５、Ｉ７２            ：予約済アイコン
Ｉ６                    ：要調整アイコン
Ｉ７１                  ：予約対象アイコン
Ｉ８                    ：削除アイコン
ＩＭ                    ：稼働アイコン
ＩＮ                    ：非稼働アイコン
ＩＮＦ１                ：付随情報
ＩＮＦ２                ：発信器情報
ＩＮＦ３                ：電波情報
ＮＲ１                  ：未予約数
ＮＲ２                  ：未予約全体数
【図１】
2019175224.tif 000003
【図２】
2019175224.tif 000004
【図３】
2019175224.tif 000005
【図４】
2019175224.tif 000006
【図５】
2019175224.tif 000007
【図６】
2019175224.tif 000008
【図７】
2019175224.tif 000009
【図８】
2019175224.tif 000010
【図９】
2019175224.tif 000011
【図１０】
2019175224.tif 000012
【図１１】
2019175224.tif 000013
【図１２】
2019175224.tif 000014
【図１３】
2019175224.tif 000015
【図１４】
2019175224.tif 000016
【図１５】
2019175224.tif 000017
【図１６】
2019175224.tif 000018
【図１７】
2019175224.tif 000019
【図１８】
2019175224.tif 000020
【図１９】
2019175224.tif 000021
【図２０】
2019175224.tif 000022
【図２１】
2019175224.tif 000023
【図２２】
2019175224.tif 000024
【図２３】
2019175224.tif 000025
【図２４】
2019175224.tif 000026
【図２５】
2019175224.tif 000027